(57)【特許請求の範囲】
【請求項１】
相手コネクタと接続する端子を覆う筒型状のインナーシェルと、
前記インナーシェルを覆うアウターシェルと、
前記インナーシェルを前記アウターシェル内に保持するためのハウジングと、を備えたシールドコネクタであって、
前記ハウジングが、前記インナーシェルを保持固定する矩形枠状のハウジング本体と、前記ハウジング本体からアウターシェル内壁に沿ってコネクタの挿入方向に延び、前記相手コネクタのロック部に係合する被ロック部が設けられた片持ち壁部とを有し、
前記アウターシェルが、前記片持ち壁部の自由端部側面に係合してコネクタ内方への倒れを防止する倒れ防止構造を先端側側壁の上部に有することを特徴とするシールドコネクタ。
【請求項２】
請求項１記載のシールドコネクタであって、
前記倒れ防止構造が、前記片持ち壁部の自由端部側面にコネクタ挿入方向に沿って凹設された受け溝に係合するように前記アウターシェルの先端側側壁に突設された支持突起からなることを特徴とするシールドコネクタ。
【発明の詳細な説明】
【技術分野】
【０００１】
本発明は、回路基板に取り付けられるシールドコネクタに関する。
【背景技術】
【０００２】
従来、回路基板に取り付けられるシールドコネクタとして、相手コネクタの端子と接触するために平行に配列された複数の基板側端子の後端を回路基板のスルーホールに合わせるため、予め９０°に折り曲げた基板側端子をハウジングに固定したものが知られている（例えば、特許文献１参照）。
【０００３】
図５（ａ）に示すこの種のシールドコネクタ５０１は、メーンハウジング５０３と、メーンハウジング５０３の中に収容されたコネクタハウジング５０５と、コネクタハウジング５０５の中に収容された導電板からなる内シールドケース５０７と、内シールドケース５０７に囲まれたプラグ挿入用空間の真ん中に相手コネクタと接触するようにコネクタハウジング５０５内に設けられたプラグコンタクト部５０９と、メーンハウジング５０３を覆うように導電板で形成された外シールドケース５１１とから概略構成されている。
【０００４】
このシールドコネクタ５０１のように、プラグコンタクト部５０９に配設された上部ターミナル５１４及び下部ターミナル５１５の後端を回路基板のスルーホールに合わせて９０°折り曲げると、シールドのためにコンタクト全体を外シールドケース５１１で覆う場合、外シールドケース５１１を小さくすることができ、従って、シールドコネクタ５０１を小型化することができるという利点がある。
【０００５】
また、回路基板に取り付けられるシールドコネクタとしては、さらに小型化を図るものがある（例えば、特許文献２参照）。
図５（ｂ）に示すこの種のシールドコネクタ５１５は、図示しない相手コネクタとの挿抜方向に延びる接触部５１７を有する複数の端子５１９の接触部５１７が配列板５２１に所定間隔で配列され、この接触部５１７がコネクタ挿抜時に相手コネクタの図示しない接触部に対して接触する。金属板を屈曲成形したシールドケース５２３の上面部には、相手コネクタのロックが係止する図示しないロック孔が形成されている。接触部５１７のための配列板５２１は、ハウジング５２５の外壁の一部をなす一つの側壁のみの内面に位置して形成されている。すなわち、ハウジング本体５２７の配列板５２１は、外壁たる一つの側壁として形成され、これに対向する壁は存在していない。これにより、回路基板５１３の基板面に対して直角方向での小寸法化、いわゆる低背化を可能にしている。
【先行技術文献】
【特許文献】
【０００６】
【特許文献１】特開平８−１３００５２号公報
【特許文献２】特開２００５−１５８６３０号公報
【発明の概要】
【発明が解決しようとする課題】
【０００７】
しかしながら、上述したシールドコネクタ５０１のさらなる低背化と軽量化のため、ハウジング５２５の外壁の一部（配列板５２１）のみを残す構成とした場合、残した外壁の一部が片持ち梁状となり、図５（ｂ）の矢印ａに示す内方への倒れ込みが懸念される。
【０００８】
本発明は上記状況に鑑みてなされたもので、その目的は、シールドコネクタの低背化を実現しつつハウジングにおける片持ち壁部の倒れを防止できるシールドコネクタを提供することにある。
【課題を解決するための手段】
【０００９】
本発明に係る上記目的は、下記構成により達成される。
（１）  相手コネクタと接続する端子を覆う筒型状のインナーシェルと、前記インナーシェルを覆うアウターシェルと、前記インナーシェルを前記アウターシェル内に保持するためのハウジングと、を備えたシールドコネクタであって、前記ハウジングが、前記インナーシェルを保持固定する矩形枠状のハウジング本体と、前記ハウジング本体からアウターシェル内壁に沿ってコネクタの挿入方向に延び、前記相手コネクタのロック部に係合する被ロック部が設けられた片持ち壁部とを有し、前記アウターシェルが、前記片持ち壁部の自由端部側面に係合してコネクタ内方への倒れを防止する倒れ防止構造を先端側側壁の上部に有するシールドコネクタ。
【００１０】
上記（１）の構成のシールドコネクタによれば、アウターシェルの内側にハウジングが設けられ、ハウジングの内側にインナーシェルが設けられる。インナーシェルは、アウターシェルとの間に設けられるハウジングによって、アウターシェルに対して位置決めされる。このハウジングは、外壁の一部をなす一つの片持ち壁部のみがアウターシェル内で回路基板の面に対面して配置される。すなわち、片持ち壁部は、ハウジングの一つの側壁として形成され、これに対向する壁は存在していない。これにより、シールドコネクタは、回路基板の基板面に対して直角方向での小寸法化、いわゆる低背化が可能となる。更に、この片持ち壁部は、アウターシェル内に装着されると、アウターシェルの倒れ防止構造によってコネクタ内方への倒れが阻止される。また、相手コネクタのロック部と係合する被ロック部が、ハウジングに設けられることで、同じく樹脂製の相手コネクタのロック部の削れを防止することができる。
【００１１】
（２）  上記（１）の構成のシールドコネクタであって、前記倒れ防止構造が、前記片持ち壁部の自由端部側面にコネクタ挿入方向に沿って凹設された受け溝に係合するように前記アウターシェルの先端側側壁に突設された支持突起からなるシールドコネクタ。
【００１２】
上記（２）の構成のシールドコネクタによれば、アウターシェルにハウジングが挿入されると、ハウジングの片持ち壁部に形成された受け溝に、アウターシェルの支持突起が挿入され、片持ち壁部が支持突起に支持されて、コネクタ内方への倒れが規制される。即ち、倒れ防止構造が、これら受け溝と支持突起とによる簡素な構造で構成される。また、アウターシェルにハウジングを挿入する際、片持ち壁部の自由端部側面が、受け溝を介してアウターシェルの支持突起に支持案内され、ハウジングにガタツキや傾きが発生せず、挿入性が良好となる。
【発明の効果】
【００１３】
本発明に係るシールドコネクタによれば、ハウジングの低背化を実現しつつハウジングにおける片持ち壁部の倒れを防止できる。
【００１４】
以上、本発明について簡潔に説明した。さらに、以下に説明される発明を実施するための形態（以下、「実施形態」という。）を添付の図面を参照して通読することにより、本発明の詳細はさらに明確化されるであろう。
【図面の簡単な説明】
【００１５】
【図１】本発明の一実施形態に係るシールドコネクタの分解斜視図である。
【図２】図１に示したシールドコネクタを相手コネクタと共に示した縦断面図である。
【図３】図２に示したシールドコネクタ及び相手コネクタの結合完了状態の縦断面図である。
【図４】変形例に係る倒れ防止構造を備えたアウターシェルの斜視図である。
【図５】（ａ）は基板側端子の後端が９０°折り曲げられた従来のシールドコネクタの縦断面図、（ｂ）はハウジング本体の配列板が一つの側壁として形成される従来のシールドコネクタの縦断面図である。
【発明を実施するための形態】
【００１６】
以下、添付図面に基づいて本発明の一実施形態に係るシールドコネクタを詳細に説明する。
本実施形態に係るシールドコネクタ１１は、ＵＳＢ２．０（高速伝送用差動コネクタ）の回路基板側のシールドコネクタとして好適に用いることができる。従って、シールドコネクタ１１と結合する相手コネクタは、ケーブル側のシールドコネクタ１３となる。
【００１７】
図１に示すように、シールドコネクタ１１は、端子１５と、インナーハウジング１７と、インナーシェル１９と、アウターシェル２１と、アウターハウジング（ハウジング）２３と、を備える。なお、本明細書中において、シールドコネクタ１１は、相手コネクタとの結合側を前、その反対側を後ろとして説明する。
【００１８】
端子１５は、板金加工により成形される。本実施形態ではタブ状の電気接触部１６を有する雄端子となる。電気接触部１６は、相手コネクタの図示しない箱状電気接触部を有した雌端子の内部接触片と接触する。相手コネクタの雌端子と接触する端子１５は、平行に一対のものが上下二段に配列される。端子１５は、後端リード部２５が図示しない回路基板のスルーホールに合わせて予め９０°に折り曲げられてインナーハウジング１７に固定される。後端リード部２５は、回路基板に形成される所定回路のスルーホールに半田付けされる。
【００１９】
インナーハウジング１７は、合成樹脂等の絶縁材を成形してなる。インナーハウジング１７には端子１５を装着する複数の端子固定穴２６が形成される。インナーハウジング１７の両側部には側壁係合溝２７が形成され、側壁係合溝２７はインナーシェル側壁２９の側壁係合部３１と係合する。また、インナーハウジング１７の上面には一対のインナー係止爪３３が突設され、インナー係止爪３３はインナーシェル上壁３５の上壁係止穴３７に係止する。インナーハウジング１７は、これら側壁係合溝２７及びインナー係止爪３３が係止されることで、図２に示すように、インナーシェル１９内方の略中央部に固定される。
【００２０】
インナーシェル１９は、導電性金属板を角筒状に形成してなり、一端が相手コネクタの端子受入口３９、他端がインナーハウジング１７を装着するインナーハウジング挿入口４１となる。インナーシェル１９は、相手コネクタと接続する端子１５を覆う。インナーシェル側壁２９には、インナーハウジング１７の側壁係合溝２７と係合する側壁係合部３１が形成される。インナーシェル上壁３５には、インナーハウジング１７のインナー係止爪３３が係止する上壁係止穴３７が形成されている。
【００２１】
インナーシェル１９のインナーハウジング挿入口４１には、ヒンジ部４３を介してインナー後部塞ぎ板４５が連結されている。インナー後部塞ぎ板４５の両側部にはインナー係止片４７が設けられ、インナー係止片４７はインナー後部塞ぎ板４５がインナーハウジング挿入口４１を塞いだ位置で、インナーシェル側壁２９のインナー係止凹部４９に係止する。これにより、インナー後部塞ぎ板４５は、インナーハウジング挿入口４１を塞いだ状態に保持される。インナーシェル１９の下面には回路基板のスルーホールに半田付けされ、同時に回路基板のグランドに接続される第１基板接続部５１が垂設されている。
【００２２】
アウターハウジング２３は、合成樹脂等の絶縁材を成形してなり、矩形枠状のハウジング本体５３を有する。アウターハウジング２３は、インナーシェル１９をアウターシェル２１内に保持する。ハウジング本体５３にはアウターシェル内壁５５に沿ってコネクタ挿入方向に延びる片持ち壁部５７が形成されている。片持ち壁部５７の自由端部側面５９には、コネクタ挿入方向に沿って受け溝６１が凹設されている。片持ち壁部５７には角穴状の被ロック部６３が形成され、被ロック部６３は相手コネクタのロック部６５に係合する。アウターハウジング２３の片持ち壁部５７は、被ロック部６３を設ける以外に、同形状の別コネクタが入らないようにする異種コネクタの誤挿入防止（コーディング）の機能も有している。
【００２３】
ハウジング本体５３の後方には、図２に示すように、インナーシェル係止爪６７が上下に形成されている。インナーシェル係止爪６７は、インナーシェル１９がハウジング本体５３の所定位置に装着されると、インナーシェル１９のインナーシェル係止部６９に係止してインナーシェル１９を保持固定する。
【００２４】
アウターシェル２１は、導電性金属板を角筒状に形成してなり、一端が相手コネクタの結合開口７１、他端がアウターハウジング２３を装着するアウターハウジング挿入口７３となる。アウターシェル２１は、端子１５と共にインナーシェル１９を覆う。アウターハウジング挿入口７３には、ヒンジ部４３を介してアウター後部塞ぎ板７５が連結されている。アウター後部塞ぎ板７５の両側部にはアウター係止枠７７が設けられ、アウター係止枠７７はアウター後部塞ぎ板７５がアウターハウジング挿入口７３を塞いだ位置で、アウターシェル内壁５５に突設されたアウター係止突起７９に係止する。これにより、アウター後部塞ぎ板７５は、アウターハウジング挿入口７３を塞いだ状態に保持される。
【００２５】
アウター後部塞ぎ板７５には、例えば先端が自由端となる一対の弾性接触片８０が形成され、弾性接触片８０はインナーシェル１９のインナー後部塞ぎ板４５に接触する。アウター後部塞ぎ板７５とアウターシェル２１とには、回路基板のスルーホールに半田付けされ、同時に回路基板のグランドに接続される第２基板接続部８１、第３基板接続部８３及び第４基板接続部８５が垂設される。このうち、第４基板接続部８５は、中央に形成されたスリットにより半割の爪状となり、回路基板のスルーホールに対して弾性係止可能となって、アウターシェル２１を回路基板へ仮固定可能としている。
【００２６】
アウターシェル２１には、片持ち壁部５７の自由端部８７に係合してコネクタ内方への倒れを防止する倒れ防止構造が設けられている。本実施形態において、倒れ防止構造は、アウターシェル２１の先端側側壁８９の上部に切り起こし形成されてアウターシェル２１内に突出した支持突起９１を有する。各支持突起９１は、片持ち壁部５７の自由端部側面５９にコネクタ挿入方向に沿って凹設された受け溝６１にそれぞれ係合する。
【００２７】
次に、上記構成を有するシールドコネクタ１１の作用を説明する。
図３に示すように、本実施形態のシールドコネクタ１１では、アウターシェル２１の内側にアウターハウジング２３が設けられ、アウターハウジング２３の内側にインナーシェル１９が設けられる。インナーシェル１９は、アウターシェル２１との間に設けられるアウターハウジング２３によって、アウターシェル２１に対して位置決めされる。
【００２８】
アウターハウジング２３は、外壁の一部をなす一つの片持ち壁部５７のみをアウターシェル２１内で回路基板の基板面に対面して配置する。すなわち、片持ち壁部５７は、ハウジングの一つの側壁として形成され、これに対向する壁は存在していない。これにより、回路基板の基板面に対して直角方向での小寸法化、いわゆる低背化が可能となる。
【００２９】
アウターシェル２１にアウターハウジング２３が挿入されると、アウターハウジング２３の片持ち壁部５７に形成された受け溝６１に、アウターシェル２１の支持突起９１が挿入される。片持ち壁部５７は、支持突起９１に支持されて、コネクタ内方（図中下方）への倒れが規制される。本実施形態の倒れ防止構造は、これら受け溝６１と支持突起９１とによる簡素な構造で構成される。また、アウターシェル２１にハウジングを挿入する際、片持ち壁部５７の自由端部側面５９が受け溝６１を介して、アウターシェル２１の支持突起９１に支持案内され、アウターハウジング２３にガタツキや傾きが発生しなくなる。これにより、挿入性が良好となる。
【００３０】
さらに、相手コネクタのロック部６５と係合する被ロック部６３が、この樹脂製のアウターハウジング２３に設けられることで、同じく樹脂製の相手コネクタのロック部６５の削れを防止することができる。
【００３１】
なお、上記実施形態では、倒れ防止構造を支持突起９１と受け溝６１とで構成した場合を例に説明したが、本発明に係るシールドコネクタは、その他の倒れ防止構造を用いることができる。
例えば、図４に示すように、アウターハウジング２３の片持ち壁部５７の自由端部側面５９にインデント６４を突設し、アウターシェル２１の先端側側壁８９の上部にこのインデント６４を受け入れるインデント受穴９７を設けてもよい。この変形例によっても、インデント６４とインデント受穴９７とを係合して片持ち壁部５７の倒れを防止することができる。
【００３２】
従って、本実施形態に係るシールドコネクタ１１によれば、該シールドコネクタ１１の低背化を実現しつつアウターハウジング２３における片持ち壁部５７の倒れを防止でき、小型で良好なシールドコネクタ１１を提供できる。
【００３３】
本発明のシールドコネクタは、上述した実施形態に限定されるものではなく、適宜、変形、改良等が可能である。その他、上述した実施形態における各構成要素の材質、形状、寸法、数、配置箇所等は本発明を達成できるものであれば任意であり、限定されない。
【符号の説明】
【００３４】
１１…シールドコネクタ
１３…シールドコネクタ（相手コネクタ）
１５…端子
１９…インナーシェル
２１…アウターシェル
２３…アウターハウジング（ハウジング）
５５…アウターシェル内壁
５７…片持ち壁部
５９…自由端部側面
６１…受け溝（倒れ防止構造）
６３…被ロック部
６５…ロック部
８７…自由端部
８９…先端側側壁
９１…支持突起（倒れ防止構造）
【図１】
0005836715.tif 000002
【図２】
0005836715.tif 000003
【図３】
0005836715.tif 000004
【図４】
0005836715.tif 000005
【図５】
0005836715.tif 000006